(57)【要約】      （修正有）【課題】誘導部、捕獲部、捕殺部からなるスズメバチ捕獲器において、ミツバチが外部から捕殺部に進入出来ないような構造のスズメバチ捕獲器を提供する。【解決手段】誘導部、捕獲部、捕殺部からなるスズメバチ捕獲器２であり、誘導部は閉口した誘導部側面板と天井板及び天上網からなり、下部は空洞となり、捕獲、捕殺部は平行した側面板からなり、側面板の底部から２分の１位置から４分の３の位置の間に捕獲部、４分の３の位置から天上板の間に捕殺部が設置され、捕獲部の底には２か所の穴、捕殺部の底には１か所の穴が設けられ、捕殺部の底、及び捕殺部の底は、ミツバチ、及びスズメバチが通れる穴であり、天井板に設けた穴は、ミツバチは通過できるが、スズメバチは通過できないように設けられている。【選択図】図１
0003201021.tif 000002
【実用新案登録請求の範囲】
【請求項１】
誘導部、捕獲部、捕殺部からなるスズメバチ捕獲器で
誘導部は、平行した誘導側板と天井板及び天上網、下部は空洞となり、
捕獲、捕殺部は、平行した側板から成り、側板の底部から２分の１の位置に捕獲部、４分の３の底部に捕殺部が設置され、捕獲部の底には２カ所の穴、捕殺部の底には１カ所の穴、天井板にＩカ所の穴が設けられ、
捕獲部の底及び補殺部の底に設けた穴は、ミツバチ及びスズメバチが通れる穴であり、天井板に設けた穴は、ミツバチは通過出来るがスズメバチは通過出来ないように設けた
ことを特徴とするスズメバチ捕獲器である。
【請求項２】
スズメバチを誘導部から捕殺部に容易に上昇させるため、捕獲、捕殺部を前方に１０度傾けたことを特徴とする請求項１記載のスズメバチ捕獲器である。
【考案の詳細な説明】
【技術分野】
【０００１】  本考案は、ミツバチの天敵であるスズメバチを捕獲するスズメバチ捕獲器に関する。
【背景技術】
【０００２】  スズメバチは、ミツバチに甚大な損害を与える天敵である。このミツバチに甚大な損害を与えるスズメバチを捕獲する捕獲器が提案されている。例えば、スズメバチ駆除器をミツバチの巣箱へ取り付け取り外しが簡単にでき、スズメバチの死骸を掃除する際に、引戸を開けて手早く短時間に取りだす事ができ、スズメバチの捕獲量を増大させ、スズメバチにかみ殺されるのを減少させる捕獲器が提案されている。（特許文献１）
捕獲器の取りつけが簡単で、捕獲したスズメバチの廃棄が容易な捕獲箱と誘導箱が提供されている。（特許文献２）
【先行技術文献】
【特許文献】
【０００３】
【特許文献１】実用新案登録第３０２６９７１号広報
【特許文献２】実用新案登録第３１６９７５８号広報
【考案が解決しようとする課題】
【０００４】  特許文献１の捕獲器は、駆除器補殺部の網目をミツバチが通ることができ、捕獲されているスズメバチに自ら攻撃し、かみ殺されるミツバチの被害が甚大である。
特許文献２の捕獲器は、補殺部にスズメバチを捕獲するとミツバチは誘導部から、上昇し穴を潜り捕殺部に入り攻撃するためスズメバチにかみ殺される被害が甚大である。
以上から、ミツバチが外から補殺部に侵入できないような構造のスズメバチ捕獲器を提供するものである。
【課題を解決するための手段】
【０００５】  誘導部、捕獲部、捕殺部からなるスズメバチ捕獲器で、
誘導部は平行した誘導側面板と天上板及び天上網から成り、下部は空洞となり、
捕獲、捕殺部は、平行した側面板から成り、側面板の底部から２分の１の位置に捕獲部、４分の３の位置に捕殺部が設置され、捕獲部の底には２カ所の穴、捕殺部の底には１カ所の穴、天上板にＩカ所の穴が設けられ、捕獲部の底、及び補殺部の底に設けた穴は、ミツバチ、及びスズメバチが通れる穴であり、
天上板に設けた穴は、ミツバチは通過できるが、スズメバチは通過できないように設けたことを特徴とするスズメバチ捕獲器である。
また、スズメバチを誘導部から捕殺部に容易に上昇させるため、捕獲、捕殺部を前方に１０度傾けたことを特徴とする前記のスズメバチ捕獲器である。
【考案の効果】
【０００６】  従来のスズメバチ捕獲器は、ミツバチは誘導部を通過してミツバチ巣箱に出入りしているが、多少のミツバチは誘導部から上昇して捕殺部に進入してしまうので自ら外部に脱出が出来るように金網目６ミリ以上の網を使用してスズメバのみを捕獲する構造になっている。
スズメバチを捕殺部に捕獲すると反面外部から姿を見たミツバチは金網を通過し、スズメバチに猛烈に攻撃するため多くのミツバチが噛み殺される。
【０００７】  そこで本考案は、捕殺部の網を金網目５ミリにしてミツバチ、スズメバチとも通過出来ない。誘導部に進入したスズメバチは下降しない限り、捕殺部に捕獲される。ミツバチは、捕殺部に進入しても天上板に４センチの穴を設け、金網目６ミリの網張りにして自ら外部に脱出することができ外部から進入することはない。更に、誘導部に進入したスズメバチをより良く上昇させて捕殺部に捕獲するため、誘導、捕獲、捕殺部を前方に１０度傾けたことによって上昇は良好で捕獲される。
よって、スズメバチが単独でミツバチを攻撃する初期の段階で集団化する以前に捕獲するので被害は少なく効果は十分に発揮することが出来る。
【図面の簡単な説明】
【０００８】
【図１】スズメバチ捕獲器をミツバチ巣箱に取り付けた斜視図
【図２】誘導部を示す斜視図
【図３】捕獲部・捕殺部を示す斜視図
【図４】捕獲、捕殺部の背面斜視図
【図５】捕殺部立面図
【図６】誘導部に捕獲、捕殺部を取り付けた斜視図
【考案を実施するための形態】
【０００９】  本考案を図面を参照しながら説明する。
図１は、スズメバチ捕獲器をミツバチ巣箱に取り付けた斜視図であり、１は、ミツバチ巣箱、２は、スズメバチ捕獲器である。
図２は、ミツバチ巣箱１に連結する誘導部１６の斜視図であり、３は、誘導部側面板、４は、上端部には巣箱に固定する誘導天井板、５は、誘導部天井網でミツバチは自由に通過することが出来る。６は、誘導部側板に直径１０センチの穴に金網目６ミリの金網を張り、内部を明るくスズメバチの警戒心を和らげ進入し易い効果がある。
【００１０】  図３は、捕獲部・捕殺部を示す斜視図であり、７は、捕獲部、捕殺部に捕獲したスズメバチを排除するスズメバチ排除穴、８は、捕殺部の天井板に設置したミミツバチが通過脱出することができる捕獲天上穴、９は捕殺部の天井板、１０は、誘導、捕獲及び捕殺部側面板、１１は、捕殺部の正面に張った金網目５ミリの金網でミツバチ、スズメバチとも通過出来ない網が張られている。１２は、捕殺部に進入したスズメバチの逆流を防止するため捕殺部底に設置した捕殺部底穴、１３は、捕殺部に捕獲したズメバチにミツバチが外部から内部に進入攻撃しようと右往左往の末、僅かに捕獲部まで下降するとスズメバチの姿が見えるため、捕獲部の金網目６ミリから進入、捕殺部底穴から、上昇して攻撃するため見通しを遮るトタン板、１４は、捕殺部に捕獲しスズメバチが逆流しても逃走出来ないよう二段構えの捕獲部、１５は、ミツバチが誘導部から捕殺部のスズメバチを見通す事が出来ないように捕獲部の底部と捕殺部底穴をずらしている捕獲部底穴、
【００１１】  図４は、誘導、捕獲及び捕殺部の背面斜視図であり、１７は、誘導、捕獲及び捕殺部が外部から内部の見通しを悪くするためと、枠の強度を保つための捕殺、捕獲部裏側板である。
図５は、誘導、捕獲、捕殺部の立面図である。
図６は誘導部に捕獲、捕殺部を取り付けた斜視図である。
【００１２】  本考案のスズメバチ捕獲器２は、誘導部１６、捕獲部１４、捕殺部１１からなる。誘導部は、平行した誘導部側面板３と誘導部天井板４及び誘導部天上網５から成り、下部は空洞となっている。誘導、捕獲及び捕殺部側面板１０は、平行した側板から成り、側板底部の２分の１部に捕獲部及び、４分の３部に捕殺部が設置され捕獲部の底には２カ所の捕獲部底穴１５、捕殺部１１の底には１カ所の捕殺部底穴１２、捕殺部天井板９にＩカ所の穴が設置されている。スズメバチを捕殺部１１に捕獲すると、ミツバチは外部から網を潜りスズメバチに攻撃するため多くのミツバチが次々と多量にかみ殺され、ミツバチの死骸が一杯になるためミツバチが外部から進入不可能の網目にした。
【００１３】  ミツバチは金網目６ミリの網目は通過するが、金網目５ミリは狭く通過出来ない。誘導部にスズメバチが進入後、脱出する際、周囲が塞がれているため、スズメバチは右往左往しながら上昇するが、より良く捕殺部に上昇させるため誘導部に対し捕獲、捕殺部を前方に１０度傾けた。
【００１４】  捕殺部に捕獲したスズメバチは下降しない限り、脱出することは出来ないが、ミツバチは捕殺部天井板に設けた直径４センチの捕殺部天上穴８に金網目６ミリの網を張っているため、この網から外部に脱出することができる。
誘導部１６は誘導側面板３と上部は誘導天上板４と誘導天上網５で密閉された空間であるため、誘導部側面板３に直径１０センチの誘導部側面穴６を開け、内側に金網目６ミリの網を張り、誘導部１６内を出来る限り明るくスズメバチの警戒心を和らげ進入し易い様にした。
スズメバチを捕殺部１１に捕獲するとミツバチは興奮し、外部から進入しようと右往左往するが金網目が５ミリで狭く進入出来ず、周辺から入ろうと下部の捕獲部の網まで下がったミツバチは金網目が６ミリであるため捕殺部底穴から上昇してスズメバチを襲いかみ殺されるため、外部からスズメバチの視認を悪くするため捕殺部底から長さ３０センチ、幅３センチのトタン板１３を捕獲部１４に張り進入を防止するようになっている。
【００１５】  養蜂に取ってスズメバチ対策は必然である。ミツバチの最大の被害はミツバチ巣箱の出入り口で、スズメバチが集団でミツバチを攻撃全滅されることです。
捕殺部でスズメバチが活動している限り、ミツバチは外部から網を潜り捕殺部に次々と進入かみ殺され、スズメバチからの最大の被害である。
そこで本考案は、スズメバチは初期の攻撃は一匹からミツバチを襲い仲間を増やし集団に達すると襲い一群を全滅させることになるので初期の一匹を誘導部から効率よく上昇させ捕殺部に隔離し更に、ミツバチが外部からスズメバチに襲うことが無い様にすることで被害を最小限にする効果を有する。
【符号の説明】
【００１６】１．ミツバチ巣箱
２．スズメバチ捕獲器
３．誘導部側面板
４．誘導部天上板
５．誘導部天上網
６．誘導部側面穴
７．スズメバチ排除穴
８．捕殺部天上穴
９．捕殺部天上板
１０．誘導、捕獲及び捕殺部側面板
１１．捕殺部
１２．捕殺部底穴
１３．トタン板
１４．捕獲部
１５．捕獲部底穴
１６．誘導部
１７．捕殺、捕獲部裏板
【図１】
0003201021.tif 000003
【図２】
0003201021.tif 000004
【図３】
0003201021.tif 000005
【図４】
0003201021.tif 000006
【図５】
0003201021.tif 000007
【図６】
0003201021.tif 000008
【手続補正書】
【提出日】平成27年8月25日(2015.8.25)
【手続補正１】
【補正対象書類名】実用新案登録請求の範囲
【補正対象項目名】全文
【補正方法】変更
【補正の内容】
【実用新案登録請求の範囲】
【請求項１】
誘導部、捕獲部、及び補殺部からなるスズメバチ捕獲器であって、
誘導部は、平行した一対の誘導側板と、誘導側板の上部に結合する誘導天井板及び誘導天井網で構成され、下部が空洞となり、
捕獲部及び補殺部は、平行した一対の側板と、側板の上部に結合する天井板と、側板の底部から側板の２分の１の位置に設けられる捕獲部底板と、側板の底部から側板の４分の３の位置に設けられる補殺部底板とによって、捕獲部底板と補殺部底板の間を捕獲部、補殺部底板と天井板の間を補殺部として構成され、
側板の下部は誘導部に取り付けられ、
捕獲部の正面にはミツバチは通過出来るがスズメバチは通過出来ない網目の金網を、補殺部の正面にはミツバチ及びスズメバチが通過出来ない網目の金網をそれぞれ設け、
捕獲部及び補殺部の裏面には裏側板を設け、
捕獲部底板には２ヵ所の穴が、補殺部底板と天井板には１ヵ所の穴がそれぞれ設けられ、捕獲部底板及び補殺部底板に設けた穴は、ミツバチ及びスズメバチが通過可能な大きさを有し、天井板に設けた穴には、ミツバチは通過出来るがスズメバチは通過出来ない網目の金網を設けたことを特徴とするスズメバチ捕獲器。
【請求項２】
スズメバチを誘導部から補殺部に容易に上昇させるため、捕獲部及び補殺部を前方に１０度傾けたことを特徴とする請求項１記載のスズメバチ捕獲器。
【手続補正２】
【補正対象書類名】明細書
【補正対象項目名】０００５
【補正方法】変更
【補正の内容】
【０００５】  誘導部、捕獲部、及び補殺部からなるスズメバチ捕獲器であって、
誘導部は、平行した一対の誘導側板と、誘導側板の上部に結合する誘導天井板及び誘導天井網で構成され、下部が空洞となり、
捕獲部及び補殺部は、平行した一対の側板と、側板の上部に結合する天井板と、側板の底部から側板の２分の１の位置に設けられる捕獲部底板と、側板の底部から側板の４分の３の位置に設けられる補殺部底板とによって、捕獲部底板と補殺部底板の間を捕獲部、補殺部底板と天井板の間を補殺部として構成され、
側板の下部は誘導部に取り付けられ、
捕獲部の正面にはミツバチは通過出来るがスズメバチは通過出来ない網目の金網を、補殺部の正面にはミツバチ及びスズメバチが通過出来ない網目の金網をそれぞれ設け、
捕獲部及び補殺部の裏面には裏側板を設け、
捕獲部底板には２ヵ所の穴が、補殺部底板と天井板には１ヵ所の穴がそれぞれ設けられ、捕獲部底板及び補殺部底板に設けた穴は、ミツバチ及びスズメバチが通過可能な大きさを有し、天井板に設けた穴には、ミツバチは通過出来るがスズメバチは通過出来ない網目の金網を設けたことを特徴とするスズメバチ捕獲器。
また、スズメバチを誘導部から補殺部に容易に上昇させるため、捕獲部及び補殺部を前方に１０度傾けたことを特徴とする前記のスズメバチ捕獲器である。